【手続補正書】
【提出日】平成17年2月8日(2005.2.8)
【手続補正１】
【補正対象書類名】明細書
【補正対象項目名】発明の名称
【補正方法】変更
【補正の内容】
【発明の名称】基地局装置、移動無線端末装置、および通信方法
【手続補正２】
【補正対象書類名】明細書
【補正対象項目名】特許請求の範囲
【補正方法】変更
【補正の内容】
【特許請求の範囲】
【請求項１】
フレームを構成する複数のタイムスロットをそれぞれ上り回線または下り回線のいずれか一方に割り当てて、同期用制御チャネルと通信チャネルの通信を行う基地局装置であって、
各フレームの特定のタイムスロットを下り回線に割り当てるとともに、前記特定のタイムスロット以外のタイムスロットを上り回線および下り回線の情報量の比に応じて上り回線および下り回線に分配して割り当てる制御手段と、
上り回線のタイムスロットのタイミングではアンテナから前記通信チャネルの信号を受信する一方、下り回線のタイムスロットのタイミングではアンテナから前記同期用制御チャネルの信号および前記通信チャネルの信号を送信する送受信切替手段と、を有し、
前記制御手段は、
前記特定のタイムスロットに同期用制御チャネルを配置することを特徴とする基地局装置。
【請求項２】
前記制御手段は、
上り回線および下り回線の情報量の比に応じて、上り回線または下り回線に割り当てられる各タイムスロットの拡散率または多重コード数を個別に設定することを特徴とする請求項１記載の基地局装置。
【請求項３】
前記制御手段は、
複数の通信チャネルに対して、互いに異なる複数の搬送周波数を割り当てることを特徴とする請求項１記載の基地局装置。
【請求項４】
前記制御手段は、
下り回線又は上り回線に割り当てるタイムスロットに優先順位を設けることを特徴とする請求項１記載の基地局装置。
【請求項５】
フレームを構成する複数のタイムスロットをそれぞれ上り回線または下り回線のいずれか一方に割り当てて、通信チャネルの通信を行う基地局装置であって、
前記複数のタイムスロットを上り回線および下り回線の情報量の比に応じて上り回線および下り回線に分配して割り当てる制御手段と、
上り回線のタイムスロットのタイミングではアンテナから前記通信チャネルの信号を受信する一方、下り回線のタイムスロットのタイミングではアンテナから前記通信チャネルの信号を送信する送受信切替手段と、を有し、
前記制御手段は、
連続するタイムスロットが同一回線に割り当てられた場合に、当該連続するタイムスロットの境界に位置するガードタイムシンボルを既知シンボルまたは情報シンボルに置換することを特徴とする基地局装置。
【請求項６】
前記制御手段は、
連続するタイムスロットに同一の通信チャネルが配置される場合に、当該連続するタイムスロットの境界に位置するガードタイムシンボルを既知シンボルまたは情報シンボルに置換することを特徴とする請求項５記載の基地局装置。
【請求項７】
請求項１記載の基地局装置と通信する移動無線端末装置であって、
前記同期用制御チャネルの信号および前記通信チャネルの信号を受信する受信手段と、
受信された信号のフレーム長間隔で前記同期用制御チャネルに割り当てられたタイムスロットを検出することにより前記基地局装置との間の初期同期を獲得する同期獲得手段と、
を有することを特徴とする移動無線端末装置。
【請求項８】
フレームを構成する複数のタイムスロットをそれぞれ上り回線または下り回線のいずれか一方に割り当てて、同期用制御チャネルと通信チャネルの通信を行う通信方法であって、
各フレームの特定のタイムスロットを下り回線に割り当てる第１割当ステップと、
前記特定のタイムスロット以外のタイムスロットを上り回線および下り回線の情報量の比に応じて上り回線および下り回線に分配して割り当てる第２割当ステップと、
上り回線のタイムスロットのタイミングではアンテナから前記通信チャネルの信号を受信する一方、下り回線のタイムスロットのタイミングではアンテナから前記同期用制御チャネルの信号および前記通信チャネルの信号を送信する送信ステップと、を有し、
前記第１割当ステップは、
前記特定のタイムスロットに同期用制御チャネルを配置することを特徴とする通信方法。
【請求項９】
フレームを構成する複数のタイムスロットをそれぞれ上り回線または下り回線のいずれか一方に割り当てて、同期用制御チャネルと通信チャネルの通信を行う通信方法であって、
上り回線および下り回線の情報量の比に応じて上り回線および下り回線に分配するタイムスロット数を決定する分配ステップと、
各フレームの特定のタイムスロットを下り回線に割り当てる第１割当ステップと、
前記特定のタイムスロット以外のタイムスロットを前記分配ステップで決定されたタイムスロット数に応じて上り回線および下り回線に割り当てる第２割当ステップと、
上り回線のタイムスロットのタイミングではアンテナから前記通信チャネルの信号を受信する一方、下り回線のタイムスロットのタイミングではアンテナから前記同期用制御チャネルの信号および前記通信チャネルの信号を送信する送信ステップと、を有し、
前記第１割当ステップは、
前記特定のタイムスロットに同期用制御チャネルを配置することを特徴とする通信方法。
【手続補正３】
【補正対象書類名】明細書
【補正対象項目名】０００１
【補正方法】変更
【補正の内容】
【０００１】
【発明の属する技術分野】
本発明はＣＤＭＡ（Code Division Multiple Access：符号分割多元接続）を用いた通信方式において、同一の無線周波数を時間分割して上り回線と下り回線を交互に通信する基地局装置、移動無線端末装置、および通信方法に関する。
【手続補正４】
【補正対象書類名】明細書
【補正対象項目名】０００７
【補正方法】変更
【補正の内容】
【０００７】
図１５（ａ）は、拡散率（符号化率）Ｒ、シンボル長Ｔｓで、４つの拡散符号Ｃ１，Ｃ２，Ｃ３，Ｃ４を用いて伝送する例である。情報シンボル系列｛Ｓ１，Ｓ２，Ｓ３，…｝は、｛Ｓ１，Ｓ５，…，Ｓ４n＋１，…｝，｛Ｓ２，Ｓ６，…，Ｓ４n＋２，…｝，｛Ｓ３，Ｓ７，…，Ｓ４n＋３，…｝，｛Ｓ４，Ｓ８，…，Ｓ４n，…｝の４つの系列に分割されて、それぞれ拡散符号Ｃ１，Ｃ２，Ｃ３，Ｃ４で拡散される。
【手続補正５】
【補正対象書類名】明細書
【補正対象項目名】００１３
【補正方法】変更
【補正の内容】
【００１３】
本発明は、上下回線の情報量が非対称な通信を含むさまざまな通信を効率的に収容することができる基地局装置、移動無線端末装置、および通信方法を提供することを目的とする。
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】変更
【補正の内容】
【００２７】
請求項１記載の基地局装置は、フレームを構成する複数のタイムスロットをそれぞれ上り回線または下り回線のいずれか一方に割り当てて、同期用制御チャネルと通信チャネルの通信を行う基地局装置であって、各フレームの特定のタイムスロットを下り回線に割り当てるとともに、前記特定のタイムスロット以外のタイムスロットを上り回線および下り回線の情報量の比に応じて上り回線および下り回線に分配して割り当てる制御手段と、上り回線のタイムスロットのタイミングではアンテナから前記通信チャネルの信号を受信する一方、下り回線のタイムスロットのタイミングではアンテナから前記同期用制御チャネルの信号および前記通信チャネルの信号を送信する送受信切替手段と、を有し、前記制御手段は、前記特定のタイムスロットに同期用制御チャネルを配置する構成とした。
【手続補正１９】
【補正対象書類名】明細書
【補正対象項目名】００２８
【補正方法】変更
【補正の内容】
【００２８】
この構成により、同期用制御チャネルが、予め定められた特定のタイムスロットのみを使用して伝送されていれば、移動無線端末装置は、フレーム長間隔で１つのタイムスロットに着目して同期獲得を図ればよいため、同期獲得がそれだけ容易になる。
【手続補正２０】
【補正対象書類名】明細書
【補正対象項目名】００２９
【補正方法】変更
【補正の内容】
【００２９】
また、請求項２記載の基地局装置は、請求項１記載の基地局装置において、前記制御手段は、上り回線および下り回線の情報量の比に応じて、上り回線または下り回線に割り当てられる各タイムスロットの拡散率または多重コード数を個別に設定する構成とした。
【手続補正２１】
【補正対象書類名】明細書
【補正対象項目名】００３１
【補正方法】変更
【補正の内容】
【００３１】
また、請求項３記載の基地局装置は、請求項１記載の基地局装置において、前記制御手段は、複数の通信チャネルに対して、互いに異なる複数の搬送周波数を割り当てる構成とした。
【手続補正２２】
【補正対象書類名】明細書
【補正対象項目名】００３３
【補正方法】変更
【補正の内容】
【００３３】
また、請求項４記載の基地局装置は、請求項１記載の基地局装置において、前記制御手段は、下り回線又は上り回線に割り当てるタイムスロットに優先順位を設ける構成とした。
【手続補正２３】
【補正対象書類名】明細書
【補正対象項目名】００３５
【補正方法】変更
【補正の内容】
【００３５】
また、請求項５記載の基地局装置は、フレームを構成する複数のタイムスロットをそれぞれ上り回線または下り回線のいずれか一方に割り当てて、通信チャネルの通信を行う基地局装置であって、前記複数のタイムスロットを上り回線および下り回線の情報量の比に応じて上り回線および下り回線に分配して割り当てる制御手段と、上り回線のタイムスロットのタイミングではアンテナから前記通信チャネルの信号を受信する一方、下り回線のタイムスロットのタイミングではアンテナから前記通信チャネルの信号を送信する送受信切替手段と、を有し、前記制御手段は、連続するタイムスロットが同一回線に割り当てられた場合に、当該連続するタイムスロットの境界に位置するガードタイムシンボルを既知シンボルまたは情報シンボルに置換する構成とした。
また、請求項６記載の基地局装置は、請求項５記載の基地局装置において、前記制御手段は、連続するタイムスロットに同一の通信チャネルが配置される場合に、当該連続するタイムスロットの境界に位置するガードタイムシンボルを既知シンボルまたは情報シンボルに置換する構成とした。
【手続補正２４】
【補正対象書類名】明細書
【補正対象項目名】００３６
【補正方法】変更
【補正の内容】
【００３６】
これらの構成により、例えばガードタイムシンボルをパイロットシンボルに置き換えて、パイロットシンボルを増やすと、同期検波に用いる基準位相の精度を高めることができ、これにより、同期検波の性能が向上し、通信チャネルの通信品質が向上する。
【手続補正２５】
【補正対象書類名】明細書
【補正対象項目名】００３７
【補正方法】変更
【補正の内容】
【００３７】
また、請求項７記載の移動無線端末装置は、請求項１記載の基地局装置と通信する移動無線端末装置であって、前記同期用制御チャネルの信号および前記通信チャネルの信号を受信する受信手段と、受信された信号のフレーム長間隔で前記同期用制御チャネルに割り当てられたタイムスロットを検出することにより前記基地局装置との間の初期同期を獲得する同期獲得手段と、を有する構成とした。
【手続補正２６】
【補正対象書類名】明細書
【補正対象項目名】００３８
【補正方法】変更
【補正の内容】
【００３８】
この構成により、移動無線端末装置は、フレーム長間隔で１つのタイムスロットに着目して同期獲得を図ればよいため、同期獲得がそれだけ容易になる。
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】削除
【補正の内容】
【手続補正３２】
【補正対象書類名】明細書
【補正対象項目名】００４４
【補正方法】削除
【補正の内容】
【手続補正３３】
【補正対象書類名】明細書
【補正対象項目名】００４５
【補正方法】削除
【補正の内容】
【手続補正３４】
【補正対象書類名】明細書
【補正対象項目名】００４６
【補正方法】削除
【補正の内容】
【手続補正３５】
【補正対象書類名】明細書
【補正対象項目名】００４７
【補正方法】削除
【補正の内容】
【手続補正３６】
【補正対象書類名】明細書
【補正対象項目名】００４８
【補正方法】削除
【補正の内容】
【手続補正３７】
【補正対象書類名】明細書
【補正対象項目名】００４９
【補正方法】変更
【補正の内容】
【００４９】
また、請求項８記載の通信方法は、フレームを構成する複数のタイムスロットをそれぞれ上り回線または下り回線のいずれか一方に割り当てて、同期用制御チャネルと通信チャネルの通信を行う通信方法であって、各フレームの特定のタイムスロットを下り回線に割り当てる第１割当ステップと、前記特定のタイムスロット以外のタイムスロットを上り回線および下り回線の情報量の比に応じて上り回線および下り回線に分配して割り当てる第２割当ステップと、上り回線のタイムスロットのタイミングではアンテナから前記通信チャネルの信号を受信する一方、下り回線のタイムスロットのタイミングではアンテナから前記同期用制御チャネルの信号および前記通信チャネルの信号を送信する送信ステップと、を有し、前記第１割当ステップは、前記特定のタイムスロットに同期用制御チャネルを配置するようにした。
また、請求項９記載の通信方法は、フレームを構成する複数のタイムスロットをそれぞれ上り回線または下り回線のいずれか一方に割り当てて、同期用制御チャネルと通信チャネルの通信を行う通信方法であって、上り回線および下り回線の情報量の比に応じて上り回線および下り回線に分配するタイムスロット数を決定する分配ステップと、各フレームの特定のタイムスロットを下り回線に割り当てる第１割当ステップと、前記特定のタイムスロット以外のタイムスロットを前記分配ステップで決定されたタイムスロット数に応じて上り回線および下り回線に割り当てる第２割当ステップと、上り回線のタイムスロットのタイミングではアンテナから前記通信チャネルの信号を受信する一方、下り回線のタイムスロットのタイミングではアンテナから前記同期用制御チャネルの信号および前記通信チャネルの信号を送信する送信ステップと、を有し、前記第１割当ステップは、前記特定のタイムスロットに同期用制御チャネルを配置するようにした。
【手続補正３８】
【補正対象書類名】明細書
【補正対象項目名】００５１
【補正方法】削除
【補正の内容】
【手続補正３９】
【補正対象書類名】明細書
【補正対象項目名】００５２
【補正方法】削除
【補正の内容】
【手続補正４０】
【補正対象書類名】明細書
【補正対象項目名】００５３
【補正方法】削除
【補正の内容】
【手続補正４１】
【補正対象書類名】明細書
【補正対象項目名】００５４
【補正方法】削除
【補正の内容】
【手続補正４２】
【補正対象書類名】明細書
【補正対象項目名】００７４
【補正方法】変更
【補正の内容】
【００７４】
図１では、第１の通信チャネルＣＨ１に対して、下り回線には拡散率Ｒ１、多重コード数２、タイムスロット３を割り当て、上り回線には拡散率Ｒ１、多重コード数１、タイムスロット４を割り当てる。
【手続補正４３】
【補正対象書類名】明細書
【補正対象項目名】００７８
【補正方法】変更
【補正の内容】
【００７８】
第１拡散手段１１６は、制御手段１１２の指示に従って拡散率Ｒ１の拡散符号で情報を拡散して第１増幅手段１２０へ出力する。第２拡散手段１１７も、また制御手段１１２の指示に従って、拡散率Ｒ１の拡散符号で情報を拡散して第２増幅手段１２１へ出力する。ここで、第１及び第２拡散手段１１６，１１７で用いる拡散符号は、各々相異なるものである。
【手続補正４４】
【補正対象書類名】明細書
【補正対象項目名】０１２５
【補正方法】変更
【補正の内容】
【０１２５】
下り回線の情報量と上り回線の情報量が同じ程度の場合、１フレームが８タイムスロットで構成される例では、例えば、下り回線と上り回線に４つずつのタイムスロットを割り当てることになる。
【手続補正４５】
【補正対象書類名】明細書
【補正対象項目名】０１２６
【補正方法】変更
【補正の内容】
【０１２６】
下り回線に対して、図６（ｂ）に従って、優先順位の高いタイムスロットから順に、タイムスロット１、タイムスロット５、タイムスロット７、タイムスロット３を割り当て、残るタイムスロット２、タイムスロット４、タイムスロット６、タイムスロット８を上り回線に割り当てる。